(57)【特許請求の範囲】
【請求項１】
前方に開放する断熱構造の貯氷庫(32)の幅方向に離間する左右の両側壁外部に、薄板材からなる左右の側板(33,33)を配設して構成された前方に開放する箱本体(24)と、この箱本体(24)の前部に配設されて、該箱本体(24)の前方開口部(24b)を覆い、発泡断熱材(37)が充填されたフロントパネル(25)とを備える断熱箱体において、
前記貯氷庫(32)の各側壁前面に、その上端から所定高さ位置まで前方に突出する前突部(32b)を形成し、
前記各側板(33)の前辺を内側に向けて直角に折曲形成した前折曲部(33b)は、前記貯氷庫(32)の前突部(32b)と対応する部位を幅狭に設定して、該前突部(32b)が形成されていない側壁前面に前折曲部(33b)を当接すると共に、該前折曲部(33b)の開放端を前突部(32b)に突き当てて位置決めするように構成し、
前記フロントパネル(25)は、その後面に形成した嵌合凹部(46)で前記箱本体(24)の前突部(32b)を覆うよう嵌合した状態で箱本体(24)に配設される
ことを特徴とする断熱箱体。
【請求項２】
上方に開放する断熱構造の貯氷庫(32)の幅方向に離間する左右の両側壁外部に、薄板材からなる左右の側板(33,33)を配設して構成された上方に開放する箱本体(24)と、この箱本体(24)の上部に配設されて、該箱本体(24)の上方開口部(24c)を覆い、発泡断熱材(48)が充填された天板(27)とを備える断熱箱体において、
前記貯氷庫(32)の各側壁上面に、その外端縁から所定長さだけ内側までの部分を除く部位に上方に突出する上突部(32a)を突設し、
前記各側板(33)の上辺を内側に向けて直角に折曲形成した上折曲部(33a)を、前記貯氷庫(32)の上突部(32a)が形成されていない側壁上面に載置すると共に、該上折曲部(33a)の開放端を上突部(32a)に突き当てて位置決めするように構成し、
前記天板(27)は、その下端縁に形成した嵌合部(50)で前記箱本体(24)の上突部(32a)を覆うよう嵌合した状態で箱本体(24)に配設される
ことを特徴とする断熱箱体。
【請求項３】
前記箱本体(24)の前部にフロントパネル(25)が配設され、該フロントパネル(25)の上面には、前記天板(27)の嵌合部(50)で覆われるよう嵌合する嵌合凸部(39)が形成される請求項２記載の断熱箱体。
【発明の詳細な説明】
【０００１】
【発明の属する技術分野】
この発明は、例えば自動製氷機等の断熱箱体に関するものである。
【０００２】
【従来の技術】
自動製氷機に採用される断熱箱体は、図１５に示す如く、前方および上方に開放する貯氷庫１０の幅方向に離間する左右の両側壁外部に、側板１１,１１を配設して構成された箱本体１２を備え、該箱本体１２の頂部に水平に配置した取付枠に懸吊した製氷ユニット(何れも図示せず)が、貯氷庫１０の内部上方に臨むよう構成される。各側板１１の前部には、平断面においてコ字状を呈するコ字状部１１ａが形成されると共に、該側板１１の上端縁には内側(貯氷庫側)に折曲された上折曲部１１ｂが形成され、コ字状部１１ａを貯氷庫１０の対応する側壁前部に嵌合すると共に、上折曲部１１ｂを貯氷庫１０の対応する側壁上面に載置することで両者の位置決めがなされるようになっている。
【０００３】
前記箱本体１２の前部には、その頂部から所定高さだけ下方の位置に、該箱本体１２における左右の側壁１２ａ,１２ａ(貯氷庫１０の側壁と側板１１とで構成される壁)の内方への変形等を防止して、箱本体１２の前方開口部１２ｂを確保する前枠１３が配設されている。この前枠１３は、図に示す如く、後方(貯氷庫側)に開放する箱状に形成されると共に、その内部に別体に形成された断熱材１４が挿入されるようになっている。そして、この前枠１３は、前記左右の側板１１,１１におけるコ字状部１１ａ,１１ａの内側に両側面を当接した状態で、各側面を対応するコ字状部１１ａにカシメ固定した後に、その内部に前記断熱材１４が挿入されることで箱本体１２に取付けられる。なお、前枠１３は、箱本体１２の前方開口部１２ｂを開閉自在に閉成する扉(図示せず)に配設したマグネットの磁力吸着面として機能するように、適宜の金属材料から構成されている。
【０００４】
また前記箱本体１２の前部には、前記前枠１３の配設位置より上方の前方開口部１２ｂを覆うフロントパネル１５が着脱自在に配設される。このフロントパネル１５は、図に示す如く、後方(貯氷庫側)に開放する箱状に形成されると共に、その内部に別体に形成された断熱材１６が挿入されるようになっている。またフロントパネル１５の後部には、幅方向の両端部近傍に係合孔１５ａ,１５ａが形成され、両係合孔１５ａ,１５ａを、前記箱本体１２の側壁１２ａ前端(側板１１のコ字状部１１ａ前面)に配設したネジカラー１７,１７に引掛けることで、該フロントパネル１５の箱本体１２に対する位置決めがなされる。このフロントパネル１５には、後部下端縁に位置決め片１５ｂが垂設され、該位置決め片１５ｂを前記前枠１３の前面に当接した状態で、該位置決め片１５ｂをネジ１８を介して前枠１３に固定するよう構成される。なお、フロントパネル１５の後端上縁には、後述する天板１９の被係合部１９ｂに係合可能な係合部１５ｃが形成されている。
【０００５】
前記箱本体１２の上方開口部１２ｃを閉成する天板１９は、下方(貯氷庫側)に開放する箱状に形成されると共に、その内部に別体に形成された断熱材２０が挿入されるようになっている。この天板１９の開口寸法は、箱本体１２の外形寸法より僅かに大きく設定され、該天板１９を箱本体１２上部に被せた状態で、その両側面が対応する左右の側板１１,１１にネジ２１を介して夫々固定される。なお、天板１９の後部には、箱本体１２の後面に取付けられる掛け金２２に係合可能な係合孔１９ａが形成されると共に、その前部には前記フロントパネル１５の係合部１５ｃに係合可能な被係合部１９ｂが形成されている。すなわち、天板１９の係合孔１９ａを掛け金２２に引掛けると共に、被係合部１９ｂをフロントパネル１５の係合部１５ｃに係合した状態で、該天板１９を箱本体１２上部に被せて両側面をネジ止め固定するよう構成される。
【０００６】
【発明が解決しようとする課題】
前述した断熱箱体では、フロントパネル１５は、箱本体１２の両側壁１２ａ,１２ａに対して前後に面接触しているだけなので、その間に隙間を生じ易く、該隙間から汚れた水、油、埃、虫等が庫内に侵入するおそれがあった。
【０００７】
前記フロントパネル１５は、箱本体１２に配設したネジカラー１７,１７に係合孔１５ａ,１５ａを係合することで位置決めされるが、ネジカラー１７に対して係合孔１５ａは係合を容易に行なうために大きな内径に設定されている。このため、該パネル１５を前枠１３にネジ止めするための正確な位置に位置決めする作業に手間が掛かっていた。また天板１９についても、前後をフロントパネル１５の係合部１５ｃおよび掛け金２２に係合または引掛けるために、天板１９の外形寸法は余裕もって大きく設定されており、該天板１９の箱本体１２に対する位置決めに手間が掛かる難点が指摘される。
【０００８】
【発明の目的】
本発明は、前述した従来の技術に内在している前記欠点に鑑み、これを好適に解決するべく提案されたものであって、取付けが容易で常に衛生的に保ち得る断熱箱体を提供することを目的とする。
【０００９】
【課題を解決するための手段】
前記課題を克服し、所期の目的を好適に達成するため、本発明に係る断熱箱体は、
前方に開放する断熱構造の貯氷庫の幅方向に離間する左右の両側壁外部に、薄板材からなる左右の側板を配設して構成された前方に開放する箱本体と、この箱本体の前部に配設されて、該箱本体の前方開口部を覆い、発泡断熱材が充填されたフロントパネルとを備える断熱箱体において、
前記貯氷庫の各側壁前面に、その上端から所定高さ位置まで前方に突出する前突部を形成し、
前記各側板の前辺を内側に向けて直角に折曲形成した前折曲部は、前記貯氷庫の前突部と対応する部位を幅狭に設定して、該前突部が形成されていない側壁前面に前折曲部を当接すると共に、該前折曲部の開放端を前突部に突き当てて位置決めするように構成し、
前記フロントパネルは、その後面に形成した嵌合凹部で前記箱本体の前突部を覆うよう嵌合した状態で箱本体(24)に配設されることを特徴とする。
【００１０】
前記課題を克服し、所期の目的を好適に達成するため、本願の別発明に係る断熱箱体は、
上方に開放する断熱構造の貯氷庫の幅方向に離間する左右の両側壁外部に、薄板材からなる左右の側板を配設して構成された上方に開放する箱本体と、この箱本体の上部に配設されて、該箱本体の上方開口部を覆い、発泡断熱材が充填された天板とを備える断熱箱体において、
前記貯氷庫の各側壁上面に、その外端縁から所定長さだけ内側までの部分を除く部位に上方に突出する上突部を突設し、
前記各側板の上辺を内側に向けて直角に折曲形成した上折曲部を、前記貯氷庫の上突部が形成されていない側壁上面に載置すると共に、該上折曲部の開放端を上突部に突き当てて位置決めするように構成し、
前記天板は、その下端縁に形成した嵌合部で前記箱本体の上突部を覆うよう嵌合した状態で箱本体に配設されることを特徴とする。
【００１１】
【発明の実施の形態】
次に、本発明に係る断熱箱体につき、好適な実施例を挙げて、添付図面を参照しながら以下説明する。なお実施例では、自動製氷機の断熱箱体を例示する。
【００１２】
(全体構成について)
図１〜図３に示す如く、実施例の断熱箱体２３は、前方および上方に開放する箱本体２４と、該箱本体２４の前部上方に着脱自在に配設されるフロントパネル２５と、該フロントパネル２５より下方において箱本体前部に開閉自在に配設される扉２６と、該箱本体２４の上部に着脱自在に配設される天板２７とから基本的に構成される。なお、箱本体２４の頂部に水平に配置した取付枠２８に懸吊した製氷ユニット２９が、箱本体内部上方に臨むと共に、該製氷ユニット２９の下方に排水皿３０が配設されるようになっている。また箱本体２４の後面には、後述する外線や冷媒管等を覆う後カバー３１が配設される。
【００１３】
(箱本体について)
前記箱本体２４は、前方および上方に開放する断熱構造の貯氷庫３２の幅方向に離間する左右の両側壁外部に、左右の側板３３,３３を配設して構成され、貯氷庫３２の両側壁および側板３３,３３からなる一対の側壁２４ａ,２４ａの間に、前方開口部２４ｂおよび上方開口部２４ｃを画成している。貯氷庫３２の上面には、図４および図５に示す如く、両側壁外端縁から所定長さだけ内側(庫内側)までの部分を除く部位に上方に突出する上突部３２ａが突設されると共に、両側壁前面には、上端から所定高さ位置まで前方に突出する前突部３２ｂが上突部３２ａと連続的に形成されている。また貯氷庫３２の後壁には、図４において左側に偏った位置に、上方に開放する凹部３２ｃが形成され、該凹部３２ｃを介して前記製氷ユニット２９から導出する外線や冷媒管等が外方に引出されるよう構成される。なお、この凹部３２ｃには、図１４に示す如く、ゴムや合成樹脂等の弾性を有する材料により後方に開放する箱状に形成されたカバー体３４が嵌挿されると共に、該カバー体３４には断熱材３５が挿入されて断熱性を確保するようになっている。カバー体３４および断熱材３５には前後に連通する通孔３６が穿設されており、該通孔３６を介して外線や冷媒管等が外部に引出される。またカバー体３４の庫内側に臨む左右端縁および下端縁にフランジ３４ａが一体的に形成され、該フランジ３４ａを貯氷庫３２の内面に当接することで、該カバー体３４の脱落防止および凹部３２ｃとカバー体３４との間に生ずる隙間を遮蔽するよう構成される。
【００１４】
前記各側板３３は、薄板材の４辺を夫々内側に向けて直角に折曲形成して構成され、その上折曲部３３ａは、前記貯氷庫３２の上突部３２ａが形成されていない側壁上面に載置されると共に、その開放端を上突部３２ａに突き当てて位置決めされている。また側板３３の前折曲部３３ｂは、貯氷庫３２の前突部３２ｂと対応する部位は幅狭に設定されて、該前突部３２ｂが形成されていない側壁前面に当接されると共に、その開放端を前突部３２ｂに突き当てて位置決めしている。なお、前折曲部３３ｂにおける貯氷庫３２の前突部３２ｂより下方の前面に当接する部位は、図１３に示す如く、貯氷庫３２の側壁より僅かに短かい幅寸法に設定されると共にハゼ折りされて、その開放端が貯氷庫内に臨まないよう構成される。すなわち、実施例の側板３３では、その開放端が貯氷庫３２内に臨まないよう構成され、開放端で発生した錆が庫内に落ちないようになっている。なお、前折曲部３３ｂをハゼ折りすることで、該側板３３の強度向上が図られる。
【００１５】
(フロントパネルについて)
前記箱本体２４における前方開口部２４ｂの一部を覆うフロントパネル２５は、発泡断熱材３７を充填させる充填空間を内部画成するよう中空に合成樹脂成形されたものであって、外部に発泡断熱材３７が露出しない構造で、充分な断熱性を確保すると共に、常に衛生的に保ち得るよう構成される。図６〜図９に示す如く、略矩形状に形成されたフロントパネル２５のパネル本体部３８の上面には、その前端および幅方向両側端から所定長さだけ内側の部位に上方に突出する嵌合凸部としての段部３９が突設されると共に、該段部３９の幅方向略中央に、前記天板２７の前部に形成された被係合部５２(後述)に係脱自在に係合する係合部４０が形成されている(図１２参照)。なお、前記段部３９を天板２７の補強リブ５０(後述)で覆うことで、該フロントパネル２５と天板２７との隙間から、汚れた水、油、埃、虫等が庫内に侵入するのを防止するようになっている。
【００１６】
前記パネル本体部３８の前面下部には、図７に示す如く、上方から下方に向かうにつれて後側(庫内側)に傾斜する傾斜部３８ａが形成されると共に、該傾斜部３８ａの下端から後方に略水平に延出する水平部３８ｂの後端には取付部３８ｃが垂下形成されている。この取付部３８ｃには、幅方向に離間して一対の通孔４１,４１が穿設されており、各通孔４１に前方から挿通したネジ４２(図１３参照)を、前記箱本体２４の対応する側壁２４ａ(側板３３の前折曲部３３ｂ)に形成したネジ孔４３に螺挿することで、当該フロントパネル２５が箱本体２４に着脱自在に取付けられるよう構成される。なお、箱本体２４にフロントパネル２５が取付けられた状態で、図１２に示す如く、前記傾斜部３８ａが扉２６の略真上に臨み、該扉２６の上部に形成された把手として機能する前方リブ５５(後述)に、前側から容易に手指を掛け易くしている。また傾斜部３８ａは、フロントパネル２５と扉２６との間に生ずる隙間を最少限に抑え、外観的デザインを向上するのに寄与する。
【００１７】
前記傾斜部３８ａと水平部３８ｂとの連設角部は、上水切り部３８ｄとして機能し、パネル本体部３８の前面に付着して流れる水滴を、該上水切り部３８ｄを介して、扉２６の溝部５７(後述)に落下させるよう構成される。また前記取付部３８ｃは、扉２６を閉成した状態では該扉２６により隠れて前側から見えないよう設定され、ネジ止め部が見えることにより外観的な見栄えが劣るのを防ぐようになっている。前記取付部３８ｃの下側には、その前面から後方に段状となるよう当接部３８ｅが垂設され、該当接部３８ｅの前面に扉２６に配設されるドアパッキン５４(後述)が当接するよう構成される。なお、取付部３８ｃと当接部３８ｅとの連設角部が、下水切り部３８ｆとして機能するよう構成され、取付部３８ｃを流れる水滴をドアパッキン５４上に落下させて、庫内に流入しないようにしている。また当接部３８ｅは、フロントパネル２５を箱本体２４に取付けた際には、両側壁２４ａ,２４ａの間に臨んで、該側壁２４ａ,２４ａが内方へ変形(移動)するのを防止すると共に、フロントパネル２５の箱本体２４への位置決めを行なう機能を兼ねる。
【００１８】
前記パネル本体部３８の両側面には、図８に示す如く、後端から前端に向かうにつれて内側に傾斜するテーパが付与され、該本体部３８の前端面の幅寸法を、断熱箱体２３の箱本体２４の幅寸法より短かくなるよう設定される。すなわち、例えば断熱箱体２３(自動製氷機)の左右両側面を壁面や他の厨房機器等に密着して設置した場合であっても、該フロントパネル２５の両側面と壁面や他の厨房機器等との間に隙間を画成して箱本体２４からの取外しを容易に行ない得るようになっている。なお、パネル本体部３８の後端面の幅寸法は、両側壁２４ａ,２４ａの外側端間の幅寸法と同一に設定され、両側壁２４ａ,２４ａで画成される前方開口部２４ｂを覆い得るよう構成される。またパネル本体部３８の前面所定位置には、社名銘板４４を貼付けるための段落し部４５が設けられ、該段落し部４５に貼付けた社名銘板４４が前方に突出して外観的デザインが低下するのを防止するよう構成してある。
【００１９】
前記パネル本体部３８の後面側には、その幅方向の両端部近傍に、前記貯氷庫３２に形成した前突部３２ｂ,３２ｂを収納する収納凹部(嵌合凹部)４６,４６が形成されており、収納凹部４６で前突部３２ｂを覆うよう嵌合(嵌合構造)することで、当該部位における汚れた水、油、埃、虫等の庫内への侵入を防止するよう構成される。
【００２０】
前記パネル本体部３８の後面下部には、前記箱本体２４の左右側壁２４ａ,２４ａの離間寸法(前方開口部２４ｂの幅寸法)と略同一の幅寸法に設定された前枠部４７が一体成形されており、当該フロントパネル２５は、前枠部４７を箱本体２４の左右の側壁２４ａ,２４ａの間に臨ませた状態で該本体２４に取付けられる。すなわち、この前枠部４７は、箱本体２４の両側壁２４ａ,２４ａが内方へ変形(移動)するのを防止すると共に、フロントパネル２５の箱本体２４への位置決めを行なうべく機能する。また前枠部４７の下面には、前記排水皿３０の前端がネジ止め固定されるようになっている(図３参照)。なお、前枠部４７の上面には、図７に示す如く、前端から後端に向かうにつれて下方傾斜する傾斜面４７ａが形成され、パネル本体部３８の後面を流れる水滴を該傾斜面４７ａを介して排水皿３０に案内して、該水滴が庫内に貯留されている氷塊等に付着するのを防止するようにしてある。
【００２１】
なお、フロントパネル２５の表面には、シボ加工が施されると共に、各コーナ部はＲ形状とされ、外観的デザインを向上すると共に、掃除が容易な構造となっている。また、前記パネル本体部３８に一体的に成形される各部位が補強リブとして機能し、該フロントパネル２５のブロー成形時における反りや樹脂の収縮を最少限に抑え、かつ必要強度を確保するよう構成される。更には、パネル本体部３８や前枠部４７等に対する発泡断熱材３７の注入孔やパーティングラインの配置に関しては、成形性、発泡性、作業性を考慮すると共に、外観的な見栄えが劣ることのないよう設定される。
【００２２】
(天板について)
前記箱本体２４の上方開口部２４ｃを覆う天板２７は、発泡断熱材４８を充填させる充填空間を内部画成するよう中空に合成樹脂成形されたものであって、外部に発泡断熱材４８が露出しない構造で、充分な断熱性を確保すると共に、常に衛生的に保ち得るよう構成される。図１０および図１１に示す如く、略矩形状に形成された天板本体部４９における下面側の全外周縁(下端縁)に、嵌合部としての補強リブ５０が一体的に形成され、当該天板２７の必要強度の確保と、ブロー成形時の反りや樹脂の収縮を防止している。なお、天板本体部４９の両側面には、下端から上端に向かうにつれて内側に傾斜するテーパが付与され、該本体部４９の上端面の幅寸法を、断熱箱体２３の箱本体２４の幅寸法より短かくなるよう設定される(図２参照)。すなわち、前記フロントパネル２５と同様に、断熱箱体２３の左右両側面を壁面や他の厨房機器等に密着して設置した場合であっても、該天板２７の両側面と壁面や他の厨房機器等との間に隙間を画成して箱本体２４からの取外しを容易に行ない得るようになっている。また、天板本体部４９の表面にシボ加工が施されると共に、各コーナ部にはＲ形状が付され、外観的デザインを向上すると共に、掃除が容易な構造となっている。
【００２３】
前記後側の補強リブ５０の所定位置には、取付部材５１が一体的に形成され、該取付部材５１には係合孔(被引掛け部)５１ａが形成されている。前記箱本体２４に配設される後カバー３１の上部には、図１４に示す如く、前記取付部材５１と対応する位置に引掛け片(引掛け部)３１ａが形成され、該引掛け片３１ａに天板２７の係合孔５１ａを係合することで、該天板２７の後部側の位置決めを行なうよう構成される。
【００２４】
前記天板本体部４９の下面略中央には、図１０および図１１に示す如く、上方に凹む収納スペース４９ａが形成され、箱本体２４に天板２７を配設した際に、該収納スペース４９ａに前記製氷ユニット２９の一部や外線等が収納されるよう構成される。なお、収納スペース４９ａが形成されていない下面が、前記取付枠２８の上面に近接し、庫内と取付枠内との空気の流れを遮断するようになっている。また天板本体部４９の前部下面には、前記フロントパネル２５の係合部４０を収納する前部スペース４９ｂが上方に凹むよう形成されると共に、該スペース４９ｂの前部に係合部４０が係脱自在に係合する被係合部５２が形成される。すなわち、天板２７は、その天板本体部４９の後部を、前記後カバー３１に係合すると共に、その前部をフロントパネル２５に係合することで、箱本体２４に取付けられる。なお、天板２７の被係合部５２に対してフロントパネル２５の係合部４０は、該天板２７を箱本体２４に配設して上方開口部２４ｃを覆った状態で、係脱可能に構成されている(図１２参照)。
【００２５】
前記箱本体２４に天板２７を取付けた状態で、図１３に示す如く、前記補強リブ５０の前部が、前記フロントパネル２５の段部３９を覆うよう嵌合されると共に、該補強リブ５０の両側部が、前記貯氷庫３２の上突部３２ａを覆うよう嵌合されて、天板２７とフロントパネル２５および箱本体２４との隙間から、汚れた水、油、埃、虫等が庫内に侵入するのを防止するよう構成される。また箱本体２４に対する天板２７の取付けを嵌合構造として、組付けの際の位置決めを容易化している。なお、天板本体部４９に対する発泡断熱材４８の注入孔やパーティングラインの配置に関しては、成形性、発泡性、作業性を考慮すると共に、外観的な見栄えが劣ることのないよう設定してある。
【００２６】
（扉について）
前記箱本体２４に回動自在に配設されて、前記フロントパネル２５の配設位置より下方に画成されている前方開口部２４ｂを閉成可能な扉２６は、発泡断熱材５３を充填させる充填空間を内部画成するよう中空に合成樹脂成形されたものである。この扉２６の後面には、箱本体２４の前方開口部２４ｂを囲繞するドアパッキン５４が配設され、該パッキン５４の上部が、フロントパネル２５の前記当接部３８ｅに前面から当接するよう構成される(図１２参照)。なお、ドアパッキン５４における箱本体２４の両側壁２４ａ,２４ａ前面(側板３３の前折曲部３３ｂ前面)に当接する両側部には、ゴム磁石(図示せず)が埋設され、該磁石により扉２６を箱本体２４の閉成位置に保持するようになっている。
【００２７】
前記扉２６の上部には、前後に離間して幅方向の全長に亘って延在する前方リブ５５および後方リブ５６が形成され、両リブ５５,５６の間に溝部５７が形成される。そして、前方リブ５５が、扉２６を開閉操作するための把手として機能する。なお、前方リブ５５は、作業者が手指を掛けるのに適正な高さに設定されると共に、図１２に示す如く、扉２６の閉成位置においては前記フロントパネル２５の傾斜部３８ａの下方に臨んで、前側からの操作を容易に行ない得るようになっている。また後方リブ５６は、フロントパネル２５の水平部３８ｂの下方に臨み、上水切り部３８ｄから滴下する水を溝部５７内に受入れるよう構成してある。更には、溝部５７は左右両側で開放し、該溝部５７に溜った水、油、塵埃等を両側から落とすことができ、清掃を容易に行ない得るよう構成してある。
【００２８】
【実施例の作用】
次に、実施例に係る断熱箱体の作用につき説明する。前記断熱箱体２３の箱本体２４は、前記貯氷庫３２の幅方向両側に、左右外方から一対の側板３３,３３をネジ止め固定することで構成される。この場合に、各側板３３の上折曲部３３ａおよび前折曲部３３ｂの上部における開放端は、貯氷庫３２の上突部３２ａおよび前突部３２ｂに突き当てられて庫内側に臨まないようになっている。また前折曲部３３ｂにおける前突部３２ｂより下方に臨む部位においても、該前折曲部３３ｂがハゼ折りされてその開放端が庫内側に臨まないよう構成される。従って、金属材料からなる側板３３の開放端に錆が発生しても、該錆が庫内に落ちることはなく、常に衛生的に保ち得る。また貯氷庫３２の突部３２ａ,３２ｂにより側板３３の位置決めが容易となる。
【００２９】
前記フロントパネル２５は、ブロー成形によりパネル本体部３８および前枠部４７等を一体に合成樹脂成形されると共に、その内部に発泡断熱材３７を充填発泡して構成されている。すなわち、全体が合成樹脂製であるのでパネル表面に錆が発生することはなく、また発泡断熱材３７にゴミが付着したり水が吸収されることはなく、菌の繁殖を防止して衛生的に保つことができる。またフロントパネル２５の全てのコーナ部をＲ形状とすることができるので、清掃等のメンテナンスが容易になると共に、外観的な見栄えが良好となる。更には、前記箱本体２４の前方開口部２４ｂを覆うパネル本体部３８と、箱本体２４の両側壁２４ａ,２４ａの内方への変形を防止するための前枠部４７とを一体に成形したから、部品点数を少なくすることができ、組立て工数を低減し得る。なお、発泡断熱材３７を充填発泡することで、断熱性が向上し、パネル表面の露付きが好適に防止される。
【００３０】
前記天板２７は、ブロー成形により中空に合成樹脂成形されると共に、その内部に発泡断熱材４８を充填発泡して構成されている。すなわち、天板表面に錆が発生することはなく、また発泡断熱材４８にゴミが付着したり水が吸収されることはなく、菌の繁殖を防止して衛生的に保つことができる。また天板２７の全てのコーナ部をＲ形状とすることができるので、清掃等のメンテナンスが容易になると共に、外観的な見栄えが良好となる。更には、発泡断熱材４８を充填発泡することで、断熱性が向上し、天板表面の露付きが好適に防止される。
【００３１】
前述したようにして構成されたフロントパネル２５および天板２７の箱本体２４への取付けに際しては、箱本体２４の後面にネジ止め固定した後カバー３１の引掛け片３１ａに、前記天板２７の取付部材５１に形成した係合孔５１ａを引掛けた状態で、該天板２７を箱本体２４の上部に被せる。このとき、天板２７の補強リブ５０における側部が、図１３に示す如く、前記貯氷庫３２の上突部３２ａを覆うよう嵌合し、かつ天板下面が上突部３２ａの上面に当接すると共に、補強リブ５０の下面が側板３３の上折曲部３３ａに当接するので、当該部位において隙間が生じ難く、かつ隙間があっても嵌合構造であるから、汚れた水、油、埃、虫等が庫内に侵入するのを好適に防止し得る。また補強リブ５０を貯氷庫３２の上突部３２ａに嵌合することで、天板２７の箱本体２４に対する位置決めが簡単となる。しかも、天板２７は箱本体２４の両側壁２４ａ,２４ａ上に載置された状態となるから、該天板２７に調理機器等を載置した場合には、その荷重は前記製氷ユニット２９等には加わることなく箱本体２４で支持することができる。
【００３２】
なお、前記天板２７の箱本体２４への取付けに先立って行なわれる製氷ユニット２９の配設の際には、前記貯氷庫３２の後壁に形成した凹部３２ｃにカバー体３４が配設されるが、該カバー体３４に配設される断熱材３５は庫内側に露出しないから、庫内が不衛生となるのは防止される。
【００３３】
次に、前記フロントパネル２５の係合部４０を、図１２に示す如く、天板２７の被係合部５２に前側下方から係合すると共に、前記前枠部４７を箱本体２４の両側壁２４ａ,２４ａの間に介挿する。またパネル本体部３８の取付部３８ｃを、側壁２４ａ,２４ａ前面に当接した状態で、該取付部３８ｃをネジ止めすることで、該フロントパネル２５は箱本体２４に位置決め固定される。なお、フロントパネル２５の係合部４０を天板２７の被係合部５２に係合することで、該天板２７の前部の位置決めもなされ、これによって天板２７も箱本体２４に位置決め固定される。なお、係合部４０と被係合部５２との係合によりフロントパネル２５の上下方向の位置決めがなされ、箱本体２４に対するフロントパネル２５の組付け作業を容易に行ない得る。
【００３４】
また、前記天板２７の前部とフロントパネル２５の上部とは、図１３に示すように、天板２７の補強リブ５０における前部が前記段部３９を覆うよう嵌合し、かつ天板下面が段部３９の上面に当接すると共に、補強リブ５０の下面がパネル本体部３８の上面に当接するので、当該部位において隙間が生じ難く、かつ隙間があっても嵌合構造であるから、汚れた水、油、埃、虫等が庫内に侵入するのを好適に防止し得る。なお、天板２７の補強リブ５０とフロントパネル２５の段部３９との嵌合構造により、天板２７とフロントパネル２５および箱本体２４の組立て時の位置決めが容易となる。更に、前記パネル本体部３８の後面側に形成した収納凹部４６,４６に、前記貯氷庫３２に形成した前突部３２ｂ,３２ｂが収納されることで、フロントパネル２５と箱本体２４との当接部も収納凹部４６と前突部３２ｂとの嵌合構造となり、当該部位における汚れた水、油、埃、虫等の庫内への侵入は防止される。
【００３５】
そして、前記箱本体２４に扉２６を配設し、該扉２６を閉成位置に保持した状態では、前述した如く、扉２６の上方にフロントパネル２５の傾斜部３８ａが位置しているから、扉２６の前方リブ５５に前側から容易に手指を引掛けて該扉２６の開閉を行ない得る。またフロントパネル２５の前面に付着して流れる水滴は、前記上下の水切り部３８ｄ,３８ｆを介して扉２６の溝部５７やドアパッキン５４上に滴下するので、庫内に水滴が侵入して不衛生となるのは防止される。
【００３６】
次に、前記製氷ユニット２９等のメンテナンスに際しては、前記扉２６を開放すると共に、フロントパネル２５における取付部３８ｃをネジ止め固定しているネジ４２を弛み外した状態で、前記係合部４０を天板２７の被係合部５２から外すことで、箱本体２４の前方開口部２４ｂを開放することができる。すなわち、フロントパネル２５を箱本体２４から取外す際には、前記天板２７を箱本体２４から取外す必要はないので、作業を簡単かつ短時間で行ない得る。従って、自動製氷機をカウンターの下方に設置している場合であっても、該製氷機をカウンターの下方から前方に引出すことなくメンスナンスを行うことができる。更には、箱本体２４の両側壁２４ａ,２４ａの変形等を防止するための前枠部４７をフロントパネル２５のパネル本体部３８に一体成形してあるから、前方開口部２４ｂは略全面開放し、メンテナンスを容易に行なうことが可能となる。
【００３７】
また前記天板２７は、フロントパネル２５および後カバー３１の係合により箱本体２４上部に位置決めされているから、フロントパネル２５または後カバー３１の何れか一方を箱本体２４から取外すだけで天板２７も箱本体２４から簡単に取外すことができる。更に、天板２７およびフロントパネル２５の両側面にはテーパが付されているので、断熱箱体２３の左右両側面を壁面や他の厨房機器等に密着して設置した場合であっても、該天板２７やフロントパネル２５を箱本体２４から容易に取外し得る。なお、前記フロントパネル２５に対する社名銘板４４の貼付けに関しては、前記段落し部４５が形成してあるから正確に位置決めし得ると共に、外観的な見栄えも良好となる。
【００３８】
前述した実施例では断熱箱体を自動製氷機に使用する場合で説明したが、本願はこれに限定されるものでなく、冷蔵庫や冷凍庫等の断熱箱体として採用することもできる。またフロントパネルと天板との係合構造は、実施例の構成に限定されることなく、例えば天板に後方に向けて突設した突起(被係合部)に、フロントパネルに形成した通孔(係合部)を挿通係合させるものであってもよく、各種の形態が採用可能である。更に、天板と後カバーとの引掛け構造に関しても、後カバーに引掛け部としての係合孔を形成すると共に、天板に被引掛け部としての引掛け片を形成したものであってもよい。
【００３９】
【発明の効果】
以上説明した如く、本発明に係る断熱箱体では、箱本体に対してフロントパネルを嵌合構造により組立てるよう構成したので、箱本体とフロントパネルとの当接部位には隙間を生じ難く、かつ汚れた水、油、埃、虫等の庫内への侵入を確実に防止して、常に衛生的に保つことができる。また箱本体に対するフロントパネルの組立て時の位置決めが嵌合構造により簡単に行なうことができ、作業時間を短縮し得る。各側板における前折曲部の開放端は、貯氷庫の前突部に突き当てられて庫内側に臨まないようになっているから、金属材料からなる側板の開放端に錆が発生しても、該錆が庫内に落ちることはなく、常に衛生的に保ち得ると共に、貯氷庫の前突部により側板の位置決めが容易となる。
【００４０】
本願の別発明に係る断熱箱体では、箱本体に対して天板を嵌合構造により組立てるよう構成したので、箱本体と天板との当接部位には隙間を生じ難く、かつ汚れた水、油、埃、虫等の庫内への侵入を確実に防止して、常に衛生的に保つことができる。また、箱本体に対する天板の組立て時の位置決めが嵌合構造により簡単に行なうことができ、作業時間を短縮し得る。更に、天板とフロントパネルとを嵌合構造により組立てるよう構成したので、天板とフロントパネルとの当接部位にも隙間を生じ難く、かつ汚れた水、油、埃、虫等の庫内への侵入を確実に防止して、常に衛生的に保つことができる。各側板における上折曲部の開放端は、貯氷庫の上突部に突き当てられて庫内側に臨まないようになっているから、金属材料からなる側板の開放端に錆が発生しても、該錆が庫内に落ちることはなく、常に衛生的に保ち得ると共に、貯氷庫の上突部により側板の位置決めが容易となる。しかも、天板とフロントパネルとの組立て時の位置決めが嵌合構造により簡単に行なうことができ、作業時間を短縮し得る。
【図面の簡単な説明】
【図１】 本発明の好適な実施例に係る断熱箱体の要部を分解して示す概略斜視図である。
【図２】 実施例の断熱箱体が採用される自動製氷機の正面図である。
【図３】 実施例に係る自動製氷機の一部切欠き側面図である。
【図４】 実施例に係る断熱箱体の本体の正面図である。
【図５】 実施例に係る断熱箱体の本体の平面図である。
【図６】 実施例に係るフロントパネルの正面図である。
【図７】 実施例に係るフロントパネルの側面図である。
【図８】 実施例に係るフロントパネルの平面図である。
【図９】 実施例に係るフロントパネルの縦断側面図である。
【図１０】 実施例に係る天板の底面図である。
【図１１】 実施例に係る天板の縦断側面図である。
【図１２】 実施例に係る断熱箱体の要部縦断側面図である。
【図１３】 実施例に係る箱本体、フロントパネル、天板の取付け部位を切欠いて示す概略斜視図である。
【図１４】 実施例に係る箱本体、天板、後カバーの取付け部位を切欠いて示す概略斜視図である。
【図１５】 従来の技術に係る断熱箱体の要部を分解して示す概略斜視図である。
【符号の説明】
２４ 箱本体，２４ｂ 前方開口部，２４ｃ 上方開口部，２５ フロントパネル
２７ 天板，３２ａ 上突部，３２ｂ 前突部，３３ 側板，３３ａ 上折曲部
３３ｂ 前折曲部，３７ 発泡断熱材，３９ 段部(嵌合凸部)，４６ 収納凹部(嵌合凹部)
４８ 発泡断熱材，５０ 補強リブ(嵌合部)
【図１】
0003707657.tif 000002
【図２】
0003707657.tif 000003
【図３】
0003707657.tif 000004
【図４】
0003707657.tif 000005
【図５】
0003707657.tif 000006
【図６】
0003707657.tif 000007
【図７】
0003707657.tif 000008
【図８】
0003707657.tif 000009
【図９】
0003707657.tif 000010
【図１０】
0003707657.tif 000011
【図１１】
0003707657.tif 000012
【図１２】
0003707657.tif 000013
【図１３】
0003707657.tif 000014
【図１４】
0003707657.tif 000015
【図１５】
0003707657.tif 000016